(57)【要約】  この発明に係るリモートコントローラは、対象空間の空気調和を行う室内機と接続され、通信を行うリモートコントローラであって、他のリモートコントローラとの間で無線通信を行う無線通信部と、室内機との間の通信異常を検知すると、室内機の運転を要求する補助操作要求に係る信号を生成し、補助操作要求に係る信号を、無線通信部から、他のリモートコントローラに送信して、室内機を運転させる異常検知処理部とを有するものである。
2020261553.tif 000002
【特許請求の範囲】
【請求項１】
対象空間の空気調和を行う室内機と接続され、通信を行うリモートコントローラであって、
他の前記リモートコントローラとの間で無線通信を行う無線通信部と、
前記室内機との間の通信異常を検知すると、前記室内機の運転を要求する補助操作要求に係る信号を生成し、前記補助操作要求に係る信号を、前記無線通信部から、他の前記リモートコントローラに送信して、前記室内機を運転させる異常検知処理部と
を有するリモートコントローラ。
【請求項２】
前記異常検知処理部は、前記室内機との間の通信異常を検知したときに、前記室内機が運転を行っていなかったと判定すると、前記無線通信部から、前記補助操作要求に係る信号を送らない請求項１に記載のリモートコントローラ。
【請求項３】
対象空間の空気調和を行う複数の室内機と、前記室内機と配管接続して冷媒を循環させる冷媒回路を構成し、前記室内機に熱を送る室外機と、前記室外機および前記室内機を管理するシステムコントローラとが接続され、
複数のリモートコントローラが、それぞれ操作対象の前記室内機と接続されて通信を行う空気調和システムであって、
前記リモートコントローラは、
他の前記リモートコントローラと無線通信を行う無線通信部と、
前記操作対象の前記室内機との間の通信異常を検知すると、前記操作対象の前記室内機の運転を要求する補助操作要求に係る信号を生成し、前記補助操作要求に係る信号を、前記無線通信部から送信させ、他の前記リモートコントローラを介して、前記システムコントローラに送信する異常検知処理部とを有し、
前記システムコントローラは、前記補助操作要求に係る信号に基づいて、前記操作対象の前記室内機に、運転操作に係る信号を送る空気調和システム。
【請求項４】
前記異常検知処理部は、前記室内機との間の通信異常を検知したときに、前記室内機が運転を行っていなかったと判定すると、前記無線通信部から、前記補助操作要求に係る信号を送らない請求項３に記載の空気調和システム。
【請求項５】
前記リモートコントローラは、
前記無線通信部に無線で送られた前記システムコントローラからの表示要求の信号に基づいて、前記操作対象の前記室内機の運転状態を示す表示信号を生成する表示処理部と、
前記表示信号に基づいて表示を行う情報表示部と
を有する請求項３または請求項４に記載の空気調和システム。
【請求項６】
前記リモートコントローラは、
入力された操作に基づく入力信号を送る入力装置と、
前記入力信号に基づいて、前記入力された操作の前記補助操作要求に係る信号を生成し、前記異常検知処理部が通信異常を検知すると、前記入力された操作の前記補助操作要求に係る信号を送信させ、他の前記リモートコントローラを介して、前記システムコントローラに送信する操作処理部とを有し、
前記システムコントローラは、前記補助操作要求に係る信号に基づいて、前記操作対象の前記室内機に、運転操作に係る信号を送る請求項３〜請求項５のいずれか一項に記載の空気調和システム。
【発明の詳細な説明】
【技術分野】
【０００１】
この発明は、リモートコントローラおよび空気調和システムに関するものである。特に、リモートコントローラと室内機との間に発生した通信異常に対する制御に関するものである。
【背景技術】
【０００２】
従来、空気調和装置などにおいて、通信異常が発生したときの影響を抑える技術が提案されている。たとえば、室外機と複数の室内機とが通信線で接続された空気調和機において、１台の室内機に通信異常が発生すると、通信異常が発生していない室内機の通信線を介して、通信異常に係る室内機を操作制御する方法がある（たとえば、特許文献１参照）。【０００３】
また、複数の空調ユニットを一括管理する集中制御ユニットを有する空気調和システムにおいて、室外機内のスイッチングハブを用いて、通信異常が発生している通信路を使わず、他の通信路に切り替えて通信を行うシステムがある（たとえば、特許文献２参照）。
【先行技術文献】
【特許文献】
【０００４】
【特許文献１】特開２００４−２５７６３９号公報
【特許文献２】特許第４１６５５８１号公報
【発明の概要】
【発明が解決しようとする課題】
【０００５】
一方、従来の空気調和装置において、空気調和装置の室内機と操作者の操作を室内機に送るリモートコントローラとの間で、一時的または長期に通信異常が発生することがある。室内機とリモートコントローラとの間で通信異常が発生した場合、室内機は、運転を停止する。このため、空気調和装置本体および冷暖房システムとして異常はないのに、再度、室内機を運転させるためには、操作者が異常を解除しなければならなかった。【０００６】
この発明は、上記のような課題を解決するため、空気調和装置とリモートコントローラとの間に通信異常が発生しても、室内機を運転させることができるリモートコントローラおよび空気調和システムを得ることを目的とする。
【課題を解決するための手段】
【０００７】
この発明に係るリモートコントローラは、対象空間の空気調和を行う室内機と接続され、通信を行うリモートコントローラであって、他のリモートコントローラとの間で無線通信を行う無線通信部と、室内機との間の通信異常を検知すると、室内機の運転を要求する補助操作要求に係る信号を生成し、補助操作要求に係る信号を、無線通信部から、他のリモートコントローラに送信して、室内機を運転させる異常検知処理部とを有するものである。【０００８】
また、この発明に係る空気調和システムは、対象空間の空気調和を行う複数の室内機と、室内機と配管接続して冷媒を循環させる冷媒回路を構成し、室内機に熱を送る室外機と、室外機および室内機を管理するシステムコントローラとが接続され、複数のリモートコントローラが、それぞれ操作対象の室内機と接続されて通信を行う空気調和システムであって、リモートコントローラは、他のリモートコントローラと無線通信を行う無線通信部と、操作対象の室内機との間の通信異常を検知すると、操作対象の室内機の運転を要求する補助操作要求に係る信号を生成し、補助操作要求に係る信号を、無線通信部から送信させ、他のリモートコントローラを介して、システムコントローラに送信する異常検知処理部とを有し、システムコントローラは、補助操作要求に係る信号に基づいて、操作対象の室内機に、運転操作に係る信号を送るものである。
【発明の効果】
【０００９】
この発明によれば、リモートコントローラは、無線通信部を有し、別のリモートコントローラと無線接続による通信を行えるようにした。異常検知処理部が操作対象となる室内機との間の通信異常を検知したときには、別のリモートコントローラを介して、操作対象となる室内機を操作できるようにした。このため、リモートコントローラと室内機との間で通信異常が発生しても、停止した室内機の運転を再開することができ、運転の継続をはかることができる。
【図面の簡単な説明】
【００１０】
【図１】実施の形態１における空気調和システムの構成を示す図である。
【図２】実施の形態１におけるリモートコントローラの外観を示す図である。
【図３】実施の形態１におけるリモートコントローラの制御および通信に係る構成を示す図である。
【図４】実施の形態１におけるシステムコントローラの制御および通信に係る構成を示す図である。
【図５】実施の形態１における室内機の制御および通信に係る構成を示す図である。
【図６】実施の形態１における室外機の制御および通信に係る構成を示す図である。
【図７】実施の形態１における通信異常の検知に関する空気調和システムの動作について説明する図である。
【図８】実施の形態１における通信異常の検知に関する空気調和システムの信号の流れについて説明する図である。
【図９】実施の形態２における通信異常の検知に関する空気調和システムの動作について説明する図である。
【図１０】実施の形態２における通信異常の検知に関する空気調和システムの信号の流れについて説明する図である。
【図１１】実施の形態３における通信異常の検知に関する空気調和システムの動作について説明する図である。
【図１２】実施の形態３における通信異常の検知に関する空気調和システムの信号の流れについて説明する図である。
【発明を実施するための形態】
【００１１】
以下、実施の形態に係るリモートコントローラおよび空気調和システムについて、図面などを参照しながら説明する。以下の図面において、同一の符号を付したものは、同一またはこれに相当するものであり、以下に記載する実施の形態の全文において共通することとする。また、図面では各構成部材の大きさの関係が実際のものとは異なる場合がある。そして、明細書全文に表わされている構成要素の形態は、あくまでも例示であって、明細書に記載された形態に限定するものではない。特に、構成要素の組み合わせは、各実施の形態における組み合わせのみに限定するものではなく、他の実施の形態に記載した構成要素を別の実施の形態に適用することができる。また、添字で区別などしている複数の同種の機器などについて、特に区別したり、特定したりする必要がない場合には、添字などを省略して記載する場合がある。
【００１２】
実施の形態１．
図１は、実施の形態１における空気調和システムの構成を示す図である。図１は、主として、空気調和システムにおける各機器の通信系統について示している。図１において、実施の形態１の空気調和システムは、システムコントローラ１、室外機２、室内機３およびリモートコントローラ４を備える。ここで、実施の形態１の空気調和システムは、図１に示すように、たとえば、２台の室外機２ａおよび室内機３ａを有する。また、空気調和システムは、３台の室内機３ａ、室内機３ｂおよび室内機３ｃを有する。そして、空気調和システムは、操作対象となる室内機３に対応して、３台のリモートコントローラ４ａ、リモートコントローラ４ｂおよびリモートコントローラ４ｃを有する。
【００１３】
システムコントローラ１は、空気調和システムが有する各機器の状態監視および操作による管理を行い、空気調和システム全体を管理する。また、室外機２は、圧縮機、室外側熱交換器などを搭載し、室内機３に熱供給を行う。室内機３は、膨張弁などの絞り装置および室内側熱交換器を搭載し、対象空間の空気調和を行う。リモートコントローラ４は、操作者からの指示、設定などの操作に係る信号を室内機３に送る。また、リモートコントローラ４は、室内機３の運転状態を操作者に表示する。
【００１４】
また、実施の形態１における空気調和システムの冷媒系統について、室外機２ａと室内機３ａとが、冷媒配管３００ａで配管接続され、冷媒が循環する冷媒回路を構成する。また、室外機２ｂと室内機３ｂおよび室内機３ｃとが、冷媒配管３００ｂで配管接続され、冷媒が循環する冷媒回路を構成する。
【００１５】
次に、実施の形態１における空気調和システムの通信系統について説明する。システムコントローラ１、室外機２ａおよび室外機２ｂは、管理用通信線１００で通信可能に有線接続されている。また、室外機２、室内機３およびリモートコントローラ４は、操作用通信線２００で通信可能に有線接続されている。操作用通信線２００は、渡り配線などにより冷媒系統毎に分かれて接続され、各通信路を形成する。図１に示すように、室外機２ａと室内機３ａとは、操作用通信線２００ａで通信可能に接続されている。また、室内機３ａとリモートコントローラ４ａとは、操作用通信線２００ｂで通信可能に接続されている。さらに、室外機２ｂと室内機３ｂとは、操作用通信線２００ｃで通信可能に接続されている。また、室外機２ｂと室内機３ｃとは、操作用通信線２００ｄで通信可能に接続されている。室内機３ｂとリモートコントローラ４ｂとは、操作用通信線２００ｅで通信可能に接続されている。そして、室内機３ｃとリモートコントローラ４ｃとは、操作用通信線２００ｆで通信可能に接続されている。
【００１６】
また、実施の形態１においては、リモートコントローラ４ａとリモートコントローラ４ｂとは、互いの無線通信可能距離範囲４００内に設置されており、無線通信により、通信可能に接続される。実施の形態１の空気調和システムは、複数のリモートコントローラ４を無線で通信できるようにして、空気調和システム内の機器に係るデータを共有できるようにする。ここで、特に限定するものではないが、無線通信に係る規格としては、たとえば、Ｂｌｕｅｔｏｏｔｈ（登録商標）、ＢＬＥ（Ｂｌｕｅｔｏｏｔｈ  Ｌｏｗ  Ｅｎｅｒｇｙ）、Ｗｉ−ｆｉ（登録商標）、ＥｎＯｃｅａｎ（登録商標）、ＺｉｇＢｅｅ（登録商標）などがある。
【００１７】
図２は、実施の形態１におけるリモートコントローラの外観を示す図である。図２に示すように、リモートコントローラ４は、情報表示部４１、運転ＯＮ／ＯＦＦボタン４２および設定温度操作ボタン４３を有する。情報表示部４１は、後述するコントローラ側表示処理部４７から送られる表示信号に基づく表示を行う。運転ＯＮ／ＯＦＦボタン４２は、運転ＯＮ／ＯＦＦに係る操作者の指示が入力されるボタンである。また、設定温度操作ボタン４３は、温度設定に係る操作者の指示が入力されるボタンである。運転ＯＮ／ＯＦＦボタン４２および設定温度操作ボタン４３は、操作者に押下されると、後述するコントローラ側操作処理部４８に、押されたボタンに対応する入力信号を送信する入力装置となる。図２では、入力装置となるボタンとして、運転ＯＮ／ＯＦＦボタン４２および設定温度操作ボタン４３を示したが、リモートコントローラ４が他のボタンを有してもよい。また、操作者の操作が入力される入力装置としては、情報表示部４１の表示内容を選択などして操作に係る入力信号が送られるタッチパネルなどがある。操作者は、これらの装置を介して、後述する室内機３に係る設定情報の変更などを行うことができる。
【００１８】
図３は、実施の形態１におけるリモートコントローラの制御および通信に係る構成を示す図である。リモートコントローラ４は、制御系機器として、コントローラ側操作用通信部４４、無線通信部４５、コントローラ側異常検知処理部４６、コントローラ側表示処理部４７、コントローラ側操作処理部４８およびコントローラ側記憶部４９を内部に有する。
【００１９】
コントローラ側操作用通信部４４は、操作用通信線２００を介して接続された室内機３との間で、各種データを含む信号を通信するインターフェースとなる。また、無線通信部４５は、無線通信で接続された他のリモートコントローラ４との間で、各種データを含む信号を通信するインターフェースとなる。
【００２０】
コントローラ側異常検知処理部４６は、操作用通信線２００などにおいて生じる通信異常を検知する処理を行う。また、コントローラ側異常検知処理部４６は、通信異常を検知すると、無線通信部４５を介して、後述する補助操作要求に係る信号を送る。室内機３とリモートコントローラ４との間で生じる通信異常とは、たとえば、室内機３とリモートコントローラ４との間の通信負荷が大きい、または、操作用通信線２００の断線などにより、一時的または永続的に、通信が正常に行われないことをいう。ここで、コントローラ側異常検知処理部４６が行う異常検知の方法については、特に限定するものではない。たとえば、操作用通信線２００における電圧に基づいて異常検知を行うことができる。また、たとえば、室内機３から運転状態のデータを含む信号などが設定期間毎に送られる場合、設定時間を超えても信号が送られないなどの場合に、異常であるとの検知を行うことができる。
【００２１】
コントローラ側表示処理部４７は、情報表示部４１に送る表示信号を生成する。また、コントローラ側操作処理部４８は、前述した運転ＯＮ／ＯＦＦボタン４２および設定温度操作ボタン４３から送られた入力信号を処理し、コントローラ側操作用通信部４４および操作用通信線２００を介して、室内機３に操作に係る信号を送る。また、コントローラ側異常検知処理部４６が通信異常を検知しているときには、後述するように、入力信号に基づく補助操作要求に係る信号を送る。
【００２２】
コントローラ側記憶部４９は、コントローラ側異常検知処理部４６、コントローラ側表示処理部４７およびコントローラ側操作処理部４８が行う処理に必要なデータを記憶する。また、コントローラ側記憶部４９は、操作対象となる室内機３の設定情報をデータとして記憶する。設定情報とは、たとえば、運転ＯＮ／ＯＦＦ状態、運転モード、設定温度、風速または風向などである。
【００２３】
ここで、コントローラ側異常検知処理部４６、コントローラ側表示処理部４７およびコントローラ側操作処理部４８について、これらの処理部は、ハードウェアとしては、たとえば、ＣＰＵ（Ｃｅｎｔｒａｌ  Ｐｒｏｃｅｓｓｉｎｇ  Ｕｎｉｔ）などの制御演算処理装置を有するマイクロコンピュータなどで構成されている。また、コントローラ側記憶部４９は、たとえば、データを一時的に記憶できるランダムアクセスメモリ（ＲＡＭ）などの揮発性記憶装置（図示せず）、データを長期的に記憶できるフラッシュメモリなどの不揮発性の補助記憶装置（図示せず）などを有する。コントローラ側記憶部４９は、各処理部が行う処理手順をプログラムとしたデータを有する。そして、制御演算処理装置がプログラムのデータに基づいて処理を実行して各部の処理を実現する。
【００２４】
図４は、実施の形態１におけるシステムコントローラの制御および通信に係る構成を示す図である。実施の形態１のシステムコントローラ１は、システム側管理用通信部１１、システム側異常管理処理部１２、システム側表示処理部１３、システム側操作処理部１４およびシステム側記憶部１５を内部に有する。システム側管理用通信部１１は、管理用通信線１００を介して接続された室外機２との間で、各種データを含む信号を通信するインターフェースとなる。システム側異常管理処理部１２は、空気調和システムにおいて管理対象の機器の異常を監視する処理を行う。また、システム側異常管理処理部１２は、機器に異常が発生したと判定すると、対応する処理を行う。ここでは、システム側異常管理処理部１２は、特に、室内機３とリモートコントローラ４との間の通信異常に関する処理を行う。
【００２５】
システム側表示処理部１３は、システムコントローラ１が有する表示装置（図示せず）に送る表示信号を生成し、データなどの表示を行う。システム側操作処理部１４は、システムコントローラ１が有する入力装置（図示せず）から送られた、操作者の操作に基づく入力信号を処理する。システム側記憶部１５は、システム側異常管理処理部１２、システム側表示処理部１３およびシステム側操作処理部１４が行う処理に必要なデータを記憶する。
【００２６】
ここで、システム側異常管理処理部１２、システム側表示処理部１３、システム側操作処理部１４は、マイクロコンピュータなどで構成されている。また、システム側記憶部１５は、ＲＡＭ、フラッシュメモリなどの記憶装置で構成されている。
【００２７】
図５は、実施の形態１における室内機の制御および通信に係る構成を示す図である。実施の形態１の室内機３は、室内側操作用通信部３１、室内側異常検知処理部３２、室内側操作処理部３３および室内側記憶部３４を内部に有する。
【００２８】
室内側操作用通信部３１は、操作用通信線２００を介して接続されたリモートコントローラ４および室外機２との間で、各種データを含む信号を通信するインターフェースとなる。室内側異常検知処理部３２は、操作用通信線２００により生じる通信異常を検知する処理を行う。室内側異常検知処理部３２は、通信異常の検知については、コントローラ側異常検知処理部４６と同様の処理を行って検知する。そして、室内側異常検知処理部３２は、通信異常を検知すると、室内機３の運転を停止させる処理を行う。室内側操作処理部３３は、操作用通信線２００を介して、室外機２およびリモートコントローラ４から送られる指示、設定などの操作に基づいて、室内機３の運転処理を行う。室内側記憶部３４は、前述した設定情報をデータとして記憶する。また、室内側記憶部３４は、室内側異常検知処理部３２および室内側操作処理部３３が行う処理に必要なデータを記憶する。
【００２９】
ここで、室内側異常検知処理部３２および室内側操作処理部３３は、マイクロコンピュータなどで構成されている。また、室内側記憶部３４は、ＲＡＭ、フラッシュメモリなどの記憶装置で構成されている。
【００３０】
図６は、実施の形態１における室外機の制御および通信に係る構成を示す図である。実施の形態１の室外機２は、室外側管理用通信部２１および室外側操作用通信部２２を内部に有する。室外側管理用通信部２１は、管理用通信線１００を介して接続されたシステムコントローラ１との間で、各種データを含む信号を通信するインターフェースとなる。一方、室外側操作用通信部２２は、操作用通信線２００を介して接続された室内機３との間で、各種データを含む信号を通信するインターフェースとなる。また、特に図示はしていないが、機器制御などの処理を行う制御装置を有している。
【００３１】
図７は、実施の形態１における通信異常の検知に関する空気調和システムの動作について説明する図である。また、図８は、実施の形態１における通信異常の検知に関する空気調和システムの信号の流れについて説明する図である。図７および図８は、リモートコントローラ４ａと室内機３ａとを通信接続する操作用通信線２００ｂに通信異常が発生した場合について示している。図７および図８に基づいて、空気調和システムにおける各装置および機器の動作などについて説明する。
【００３２】
リモートコントローラ４ａは、コントローラ側異常検知処理部４６において、操作用通信線２００ｂに異常が発生したことを検知する。そして、リモートコントローラ４ａは、室内機３ａの設定情報のデータを含む信号および補助操作要求に係る信号を、無線通信部４５から、他のリモートコントローラ４に送る（図７および図８（１））。実施の形態１では、リモートコントローラ４ａは、コントローラ側記憶部４９に記憶する室内機３ａの設定情報のデータのうち、運転ＯＮ／ＯＦＦ状態のデータを含む信号を、無線通信部４５から送るものとする。また、補助操作要求とは、リモートコントローラ４が、室内機３との間の操作用通信線２００における通信異常を検知したとき、システムコントローラ１に対して行う室内機３に対する操作要求である。ここで、実施の形態１において、補助操作要求として要求する操作は、運転ＯＮに係る操作である。
【００３３】
ここで、運転ＯＮ操作に係る補助操作要求の信号は、リモートコントローラ４が有する室内機３の設定情報のデータに基づいて送られる。リモートコントローラ４は、室内機３が運転中でなく運転ＯＦＦのときに、通信異常を検知したのであれば、室内機３の運転をＯＮする必要はなく、補助操作要求に係る信号を送らなくてもよい。そこで、実施の形態１においては、リモートコントローラ４は、室内機３が運転ＯＦＦであった場合は、運転ＯＮ操作の補助操作要求に係る信号を、無線通信部４５から送らない。
【００３４】
無線通信可能距離範囲４００内にあるリモートコントローラ４ｂの無線通信部４５は、リモートコントローラ４ａからの設定情報のデータを含む信号および補助操作要求に係る信号を受信する。そして、リモートコントローラ４ｂのコントローラ側操作用通信部４４は、無線通信部４５が受信した設定情報のデータを含む信号および補助操作要求に係る信号を、操作用通信線２００ｅを介して、室内機３ｂに送る（図７および図８（２））。
【００３５】
室内機３ｂの室内側操作用通信部３１は、リモートコントローラ４ｂからの設定情報のデータを含む信号および補助操作要求に係る信号を受信する。室内側操作用通信部３１は、さらに、操作用通信線２００ｃを介して、受信した設定情報のデータを含む信号および補助操作要求に係る信号を、室外機２ｂに送る（図７および図８（３））。
【００３６】
室外機２ｂの室外側操作用通信部２２は、室内機３ｂからの設定情報のデータを含む信号および補助操作要求に係る信号を受信する。そして、室外機２ｂの室外側管理用通信部２１は、管理用通信線１００を介して、受信した設定情報のデータを含む信号および補助操作要求に係る信号を、システムコントローラ１に送る（図７および図８（４））。
【００３７】
システムコントローラ１のシステム側管理用通信部１１は、室外機２ｂからの設定情報のデータを含む信号および補助操作要求に係る信号を受信する。また、システムコントローラ１のシステム側操作処理部１４は、補助操作要求に基づき、室内機３ａの運転操作に係る信号を生成する。ここでは、システム側操作処理部１４は、運転ＯＮの運転操作に係る信号を生成する。そして、システムコントローラ１のシステム側管理用通信部１１は、管理用通信線１００を介して、運転ＯＮの運転操作に係る信号を、室外機２ａに送る（図７および図８（５））。
【００３８】
室外機２ａの室外側管理用通信部２１は、システムコントローラ１からの運転ＯＮの運転操作に係る信号を受信する。そして、室外機２ａの室内側操作用通信部３１は、操作用通信線２００ａを介して、運転ＯＮの運転操作に係る信号を、室内機３ａに送る（図７および図８（６））。
【００３９】
室内機３ａの室内側操作用通信部３１は、室外機２ａからの運転ＯＮの運転操作に係る信号を受信する。室内機３ａは、運転ＯＮの運転操作に基づいて、通信異常発生により停止していた運転を再開する。
【００４０】
一方、室内機３ａの室内側異常検知処理部３２においても、操作用通信線２００ｂに異常が発生したことを検知する。室内機３ａの室内側異常検知処理部３２は、通信異常を検知すると、室内機３ａの運転を停止させる。そして、室内側異常検知処理部３２は、室内側記憶部３４から、該当する異常コードのデータを読み出す。ここで、異常コードとは、発生した異常内容を、数字などによって簡易に示すコードである。たとえば、通信異常の場合は、「６６０６」などとする。そして、室内機３ａの室内側操作用通信部３１は、操作用通信線２００ａを介して、異常コードのデータを含む信号を、室外機２ａに送る（図７および図８（１１））。
【００４１】
室外機２ａの室外側操作用通信部２２は、室内機３ａからの異常コードのデータを含む信号を受信する。そして、室外機２ａの室外側管理用通信部２１は、管理用通信線１００を介して、受信した異常コードのデータを含む信号を、システムコントローラ１に送る（図７および図８（１２））。
【００４２】
以上のように、実施の形態１の空気調和システムによれば、リモートコントローラ４が、無線通信部４５を有し、別のリモートコントローラ４と無線接続による通信を行えるようにした。そして、操作用通信線２００の断線などにより、操作対象となる室内機３との間で通信異常が発生したときには、別のリモートコントローラ４と無線通信を行うようにした。リモートコントローラ４は、別のリモートコントローラ４における通信路を介して、設定情報のデータおよび補助操作要求に係る信号をシステムコントローラ１に送る。また、システムコントローラ１が、通信異常により停止した室内機３に対して、運転ＯＮの運転操作を行い、運転を再開させるようにした。このため、実施の形態１の空気調和システムでは、リモートコントローラ４と室内機３との間で通信異常が発生しても、停止した室内機３は、運転を再開することで、運転の継続をはかることができる。
【００４３】
実施の形態２．
図９は、実施の形態２における通信異常の検知に関する空気調和システムの動作について説明する図である。また、図１０は、実施の形態２における通信異常の検知に関する空気調和システムの信号の流れについて説明する図である。ここでは、リモートコントローラ４の情報表示部４１が行う表示について説明する。図９および図１０においても、リモートコントローラ４ａと室内機３ａとを通信接続する操作用通信線２００ａが通信異常を起こしている場合の各機器が行う動作などを示している。
【００４４】
実施の形態１で説明したように、システムコントローラ１は、リモートコントローラ４ａからの補助操作要求に基づいて、室内機３ａに運転ＯＮの運転操作に係る信号を送り、室内機３ａを運転させる。実施の形態２の空気調和システムでは、その後において、システムコントローラ１のシステム側操作処理部１４は、室内機３ａの運転状態の表示をリモートコントローラ４ａに要求する表示要求を生成する。そして、システムコントローラ１のシステム側管理用通信部１１は、管理用通信線１００を介して、表示要求に係る信号を、すべての室外機２に送る（図９および図１０（２１））。
【００４５】
室外機２ａおよび室外機２ｂの室外側管理用通信部２１は、システムコントローラ１からの運転ＯＮの運転操作に係る信号を受信する。そして、室外機２ａの室外側操作用通信部２２は、操作用通信線２００ａを介して、表示要求に係る信号を、室内機３ａに送る。また、室外機２ｂの室外側操作用通信部２２は、操作用通信線２００ｃを介して、表示要求に係る信号を、室内機３ｂに送る。さらに、室外機２ｂの室外側操作用通信部２２は、操作用通信線２００ｄを介して、表示要求に係る信号を、室内機３ｃに送る（図９および図１０（２２））。
【００４６】
室内機３ａの室内側操作用通信部３１は、室外機２ａからの表示要求に係る信号を受信する。また、室内機３ｂおよび室内機３ｃは、室外機２ｂからの表示要求に係る信号を受信する。
【００４７】
室内機３ｂの室内側操作用通信部３１は、表示要求に係る信号を、操作用通信線２００ｅを介して、リモートコントローラ４ｂに送る。また、室内機３ｃの室内側操作用通信部３１は、表示要求に係る信号を、操作用通信線２００ｆを介して、リモートコントローラ４ｃに送る（図９および図１０（２３））。
【００４８】
一方、実施の形態１で説明したように、室内機３ａでは、室内側異常検知処理部３２が操作用通信線２００ｂの通信異常を検知している。このため、室内機３ａの室内側操作用通信部３１は、表示要求に係る信号を送らないようにする。
【００４９】
リモートコントローラ４ｂおよびリモートコントローラ４ｃのコントローラ側操作用通信部４４は、それぞれ、室内機３ｂおよび室内機３ｃからの表示要求に係る信号を受信する。そして、リモートコントローラ４ｂおよびリモートコントローラ４ｃの無線通信部４５は、表示要求に係る信号を送る（図９および図１０（２４））。
【００５０】
リモートコントローラ４ａの無線通信部４５は、表示要求に係る信号を受信する。ここで、リモートコントローラ４ａの無線通信部４５は、無線通信可能距離範囲４００内にあるリモートコントローラ４ｂからの信号を受信することになる。リモートコントローラ４ａのコントローラ側表示処理部４７は、表示要求に基づいて生成した表示信号を情報表示部４１に送り、表示させる。そして、リモートコントローラ４ａには、室内機３ａの運転状況が表示される。
【００５１】
以上のように、実施の形態２の空気調和システムによれば、システムコントローラ１は、通信異常を検知したリモートコントローラ４に対し、別のリモートコントローラ４から無線通信により表示要求に係る信号を送信し、情報表示部４１に表示させるようにした。このため、リモートコントローラ４と室内機３との間に通信異常が発生していても、リモートコントローラ４に室内機３の運転状態を表示させることができる。
【００５２】
実施の形態３．
図１１は、実施の形態３における通信異常の検知に関する空気調和システムの動作について説明する図である。また、図１２は、実施の形態３における通信異常の検知に関する空気調和システムの信号の流れについて説明する図である。図１１および図１２においても、リモートコントローラ４ａと室内機３ａとを通信接続する操作用通信線２００ａに異常が発生した場合の各機器が行う動作などについて説明する。
【００５３】
実施の形態２で説明したように、リモートコントローラ４と室内機３との間で通信異常が発生した場合でも、リモートコントローラ４は、システムコントローラ１からの表示要求に基づいて、室内機３の運転状態を情報表示部４１に表示することができる。実施の形態３においては、さらに、リモートコントローラ４は、操作者がリモートコントローラ４に入力した操作を、操作対象の室内機３に対して行うようにしたものである。
【００５４】
操作者が、リモートコントローラ４ａの設定温度操作ボタン４３を押下などして、室内機３ａの設定温度を変更する。リモートコントローラ４ａのコントローラ側操作処理部４８は、設定温度操作ボタン４３からの入力信号を処理し、コントローラ側記憶部４９に設定情報のデータとして記憶する。
【００５５】
リモートコントローラ４ａは、コントローラ側異常検知処理部４６が通信異常を検知しているため、室内機３ａの設定情報のデータを含む信号を、無線通信部４５から送る。ここで、実施の形態３では、リモートコントローラ４ａがコントローラ側記憶部４９に記憶する設定情報のデータのうち、設定温度のデータを含む信号を、無線通信部４５から送るものとする。また、リモートコントローラ４ａは、設定温度変更に関する補助操作要求に係る信号を、無線通信部４５から送る（図１１および図１２（３１））。
【００５６】
無線通信可能距離範囲４００内にあるリモートコントローラ４ｂの無線通信部４５は、リモートコントローラ４ａからの設定情報のデータを含む信号および補助操作要求に係る信号を受信する。そして、リモートコントローラ４ｂのコントローラ側操作用通信部４４は、無線通信部４５が受信した設定情報のデータを含む信号および補助操作要求に係る信号を、操作用通信線２００ｅを介して、室内機３ｂに送る（図１１および図１２（３２））。
【００５７】
室内機３ｂの室内側操作用通信部３１は、リモートコントローラ４ｂからの設定情報のデータを含む信号および補助操作要求に係る信号を受信する。室内側操作用通信部３１は、さらに、操作用通信線２００ｃを介して、受信した設定情報のデータを含む信号および補助操作要求に係る信号を、室外機２ｂに送る（図１１および図１２（３３））。
【００５８】
室外機２ｂの室外側操作用通信部２２は、室内機３ｂからの設定情報のデータを含む信号および補助操作要求に係る信号を受信する。そして、室外機２ｂの室外側管理用通信部２１は、管理用通信線１００を介して、受信した設定情報のデータを含む信号および補助操作要求に係る信号を、システムコントローラ１に送る（図１１および図１２（３４））。
【００５９】
システムコントローラ１のシステム側管理用通信部１１は、室外機２ｂからの設定情報のデータを含む信号および補助操作要求に係る信号を受信する。また、システムコントローラ１のシステム側操作処理部１４は、補助操作要求に基づき、室内機３ａの設定温度の運転操作を生成する。そして、システムコントローラ１のシステム側管理用通信部１１は、管理用通信線１００を介して、設定温度の運転操作に係る信号を、室外機２ａに送る（図１１および図１２（３５））。
【００６０】
室外機２ａの室外側管理用通信部２１は、システムコントローラ１からの設定温度の運転操作に係る信号を受信する。そして、室外機２ａの室内側操作用通信部３１は、操作用通信線２００ａを介して、設定温度の運転操作に係る信号を、室内機３ａに送る（図１１および図１２（３６））。
【００６１】
室内機３ｂの室内側操作用通信部３１は、室外機２ａからの設定温度の運転操作に係る信号を受信する。室内機３ｂは、設定温度の運転操作に基づいて、設定温度を変更する。
【００６２】
以上のように、実施の形態３の空気調和システムによれば、複数のリモートコントローラ４は、無線通信部４５を有し、別のリモートコントローラ４と無線接続による信号通信を行えるようにする。そして、リモートコントローラ４は、対応する室内機３との間で通信異常が発生している場合には、別のリモートコントローラ４からの通信路を介して、補助操作要求に係る信号をシステムコントローラ１に送る。システムコントローラ１は、通信異常により停止した室内機３に対し、補助操作要求に基づく指示を行う。このため、リモートコントローラ４は、通信異常が発生していても、操作者が入力した指示を室内機３ａに送ることができる。
【００６３】
実施の形態４．
実施の形態１では、通信異常を検知したリモートコントローラ４から、無線通信により別のリモートコントローラ４に送る設定情報は、運転ＯＮ／ＯＦＦ状態だけであったが、これに限定するものではない。たとえば、無線通信部４５は、運転モード、設定温度、風速、風向、異常コード、異常履歴、ソフトウェアバージョンなどのデータのうち、１または複数の設定情報のデータを含む信号を、運転ＯＮ／ＯＦＦ状態の設定情報のデータとともに送るようにしてもよい。
【００６４】
また、実施の形態１〜実施の形態３の空気調和システムは、複数のリモートコントローラ４を無線接続するものとして説明したが、これに限定するものではない。リモートコントローラ４に限らず、たとえば、スマートスピーカー、スマートフォンなどのように、同じ無線通信の規格に対応している機器を、リモートコントローラ４として用い、無線接続が行えるようにしてもよい。
【００６５】
また、実施の形態１〜実施の形態３の空気調和システムは、リモートコントローラ４から補助操作要求に係る信号をシステムコントローラ１に送り、システムコントローラ１から運転操作に係る信号を送り、操作対象の室内機３の操作を行うようにした。ただし、システムコントローラ１が操作を行うことに限定するものではない。たとえば、システムコントローラ１の処理を、ある室外機２が有する制御装置（図示せず）などが行うようにしてもよい。
【符号の説明】
【００６６】
１  システムコントローラ、２，２ａ，２ｂ  室外機、３，３ａ，３ｂ，３ｃ  室内機、４，４ａ，４ｂ，４ｃ  リモートコントローラ、１１  システム側管理用通信部、１２  システム側異常管理処理部、１３  システム側表示処理部、１４  システム側操作処理部、１５  システム側記憶部、２１  室外側管理用通信部、２２  室外側操作用通信部、３１  室内側操作用通信部、３２  室内側異常検知処理部、３３  室内側操作処理部、３４  室内側記憶部、４１  情報表示部、４２  ＯＮ／ＯＦＦボタン、４３  設定温度操作ボタン、４４  コントローラ側操作用通信部、４５  無線通信部、４６  コントローラ側異常検知処理部、４７  コントローラ側表示処理部、４８  コントローラ側操作処理部、４９  コントローラ側記憶部、１００  管理用通信線、２００，２００ａ，２００ｂ，２００ｃ，２００ｄ，２００ｅ，２００ｆ  操作用通信線、３００ａ，３００ｂ  冷媒配管、４００  無線通信可能距離範囲。
【図１】
2020261553.tif 000003
【図２】
2020261553.tif 000004
【図３】
2020261553.tif 000005
【図４】
2020261553.tif 000006
【図５】
2020261553.tif 000007
【図６】
2020261553.tif 000008
【図７】
2020261553.tif 000009
【図８】
2020261553.tif 000010
【図９】
2020261553.tif 000011
【図１０】
2020261553.tif 000012
【図１１】
2020261553.tif 000013
【図１２】
2020261553.tif 000014
【国際調査報告】
2020261553.tif 000015
2020261553.tif 000016